(57)【要約】【課題】サービスを多様化させ、ユーザが選択できる権利を与え、また業者はサービス多様化によるユーザ拡大を図り、且つ、ユーザの操作や判断が煩雑に過ぎることのないインターネット接続サービスを提供する方法およびシステムを実現する。【解決手段】ネットワークへのログインを認証する対象としているユーザ毎に適用するサービスクラスを予め設定しておき、ログインした上記ユーザについて上記設定がなされているサービスクラスを認識し、この認識に基づいて当該サービスクラスに相応したサービスを該当するユーザに提供する。【選択図】        図１
2004164077.tif 000002
【特許請求の範囲】
【請求項１】
ネットワークへのログインを認証する対象としているユーザ毎に適用するサービスクラスを予め設定しておき、ログインした前記ユーザについて前記設定がなされているサービスクラスを認識し、この認識に基づいて当該サービスクラスに相応したサービスを該当するユーザに提供することを特徴とするインターネット接続サービスの提供方法。
【請求項２】
当該サービスクラスに相応した料金を料金管理データに基づいて算出し、該当するユーザに課金することを特徴とする請求項１に記載のインターネット接続サービスの提供方法。
【請求項３】
前記ユーザ毎に適用するサービスクラスを予め契約に基づいて設定しておくことを特徴とする請求項１に記載のインターネット接続サービスの提供方法。
【請求項４】
特定のＩＳＰ（Ｉｎｔｅｒｎｅｔ  Ｓｅｒｖｉｃｅ  Ｐｒｏｖｉｄｅｒ）が複数の箇所でインターネット接続サービスを提供するようにし、前記ＩＳＰのシステムとして、ユーザ毎に設定してあるサービスクラスに係るデータを集約してなるユーザ管理データ、及び、当該サービスクラスに対応したサービス内容を表したサービスクラス対応データを保有し、該ユーザ管理データ及びサービスクラス対応データに基づいて、前記インターネット接続サービスを利用するユーザに対して、前記複数の箇所の何れからの接続であるかに拠らずに、ユーザ毎にその任意に応じて設定されたサービスを提供することを特徴とするインターネット接続サービスの提供方法。
【請求項５】
更に、予め広告依頼主より受信し蓄積しておいた広告データを前記サービスクラスに相応した形態でログインしたユーザに配信することを特徴とする請求項１に記載のインターネット接続サービスの提供方法。
【請求項６】
前記広告データの該当するユーザへの配信に係る利用乃至通信サービス料金を、前記広告依頼主が依頼対象の広告に応じてＩＳＰに支払う広告料金によって賄うことを特徴とする請求項５に記載のインターネット接続サービスの提供方法。
【請求項７】
更に、予め広告依頼主より受信し蓄積しておいた広告データをユーザからの広告配信要求に応じた形態で該当するユーザに配信することを特徴とする請求項１に記載のインターネット接続サービスの提供方法。
【請求項８】
更に、当該インターネット接続サービスの利用料金から広告閲覧の回数や頻度に相応する広告閲覧分の減額を行った額を課金することを特徴とする請求項７に記載のインターネット接続サービスの提供方法。
【請求項９】
更に、前記減額算定の基礎とする広告閲覧の回数又はこれに係数を掛けた値、或いは、頻度乃至度数に相応する数値をポイントとして蓄積・更新することを特徴とする請求項８に記載のインターネット接続サービスの提供方法。
【請求項１０】
前記ポイントは、該ポイントを計数するシステムを運営するＩＳＰにて蓄積している広告をインターネットを介して外部から閲覧したユーザについても蓄積・更新することを特徴とする請求項９に記載のインターネット接続サービスの提供方法。
【請求項１１】
更に、予め広告依頼主より受信し蓄積しておいた広告データをログインしたユーザに配信するようにし、前記広告データによる広告毎にその配信の回数乃至度数等の配信履歴を蓄積・更新することを特徴とする請求項１に記載のインターネット接続サービスの提供方法。
【請求項１２】
更に、広告依頼主が蓄積している広告データをユーザがインターネット経由で閲覧した状況を認識するようにし、前記広告データによる広告毎にその配信の回数乃至度数等の配信履歴を蓄積・更新することを特徴とする請求項１に記載のインターネット接続サービスの提供方法。
【請求項１３】
更に、広告依頼主からの依頼による広告に関する広告データを蓄積・保有する広告配信業者の運営するシステムに、ユーザがインターネット経由でアクセスし広告を閲覧した状況を認識するようにし、前記広告データによる広告毎にその配信の回数乃至度数等の配信履歴を蓄積・更新することを特徴とする請求項１に記載のインターネット接続サービスの提供方法。
【請求項１４】
更に、複数の広告依頼主からの依頼による広告に関する広告データを蓄積・保有する広告配信業者の運営する前記システムに、広告の配信の回数乃至度数を記録して配信の回数乃至度数に応じた料金を広告依頼主から獲得するための配信記録データを保有することを特徴とする請求項１３に記載のインターネット接続サービスの提供方法。
【請求項１５】
更に、ログインした当該ユーザのサービスクラスを認識し、そのサービスクラスに対応するものとして予め設定した通信品質によってクラス分けされたサービスをユーザに提供することを特徴とする請求項１に記載のインターネット接続サービスの提供方法。
【請求項１６】
更に、ログインしたユーザのサービスクラスを認識し、そのサービスクラスに対応するものとして予め設定したアクセス可能なメディアおよびプロトコルの種類によってクラス分けされたサービスをユーザに提供することを特徴とする請求項１に記載のインターネット接続サービスの提供方法。
【請求項１７】
複数のユーザ毎のネットワーク利用状況を管理するネットワーク管理サーバ、インターネットに接続するためのルータ、及び、サービスサーバを含んで構成され、前記サービスサーバは、ユーザの利用できるサービスクラスを管理するためのサービスクラスデータとユーザ毎の課金状況を管理するための料金管理データとに基づいてユーザに対するサービスと課金の管理を行うように構成されたことを特徴とする請求項１に記載の方法の実施に適用するインターネット接続サービス用システム。
【請求項１８】
前記料金管理データは該当するユーザ毎のサービスクラスに相応した料金を課金するための基礎となるものであることを特徴とする請求項１７に記載のインターネット接続サービス用システム。
【請求項１９】
前記サービスクラスデータはユーザ毎に適用するサービスクラスを予め契約に基づいて設定しておくことにより構築されたものであることを特徴とする請求項１７に記載のインターネット接続サービス用システム。
【請求項２０】
ＩＳＰ（Ｉｎｔｅｒｎｅｔ  Ｓｅｒｖｉｃｅ  Ｐｒｏｖｉｄｅｒ）による運用の下に複数の箇所でインターネット接続サービスを提供可能になされ、ユーザ毎に設定してあるサービスクラスに係るデータを集約してなるユーザ管理データベースと、当該サービスクラスに対応したサービス内容を表したサービスクラス対応表を含んで構成され、該ユーザ管理データベース及びサービスクラス対応表に基づいて、前記インターネット接続サービスを利用するユーザに対して、前記複数の箇所の何れからの接続であるかに拠らずに、ユーザ毎にその任意に応じて設定されたサービスを提供可能になされたことを特徴とする請求項４に記載の方法の実施に適用するインターネット接続サービス用システム。
【請求項２１】
更に、予め広告依頼主から受信した広告データを蓄積しユーザに対して配信を行うための広告配信サーを含んでなり、この広告配信サーバは、該当する広告データを前記サービスサーバのデータにより認識されるサービスクラスに相応した形態でログインしたユーザに配信するために適用されるものであることを特徴とする請求項１７に記載のインターネット接続サービス用システム。
【請求項２２】
前記サービスサーバは、広告配信やこれに掛かる通信サービス料金をユーザに課金しないように構成されたものであることを特徴とする請求項１７に記載のインターネット接続サービス用システム。
【請求項２３】
前記サービスサーバは、ユーザ毎の広告配信要求に適合するようにサービスクラスを管理するためのサービスクラス対応表、及び、ユーザ毎に料金を管理する料金管理テーブルを有し、前記サービスクラス対応表に基づいて予め広告依頼主より受信し蓄積しておいた広告データをユーザからの広告配信要求に応じた形態で該当するユーザに配信することを可能ならしめるようにしたものであることを特徴とする請求項１７に記載のインターネット接続サービス用システム。
【請求項２４】
前記サービスサーバは、前記料金管理テーブルが、インターネット接続サービスの利用料金から広告閲覧の回数や頻度に相応する広告閲覧分の減額を行った額へと自己のデータが更新されるように構成されたものであることを特徴とする請求項２３に記載のインターネット接続サービス用システム。
【請求項２５】
前記サービスサーバは、更に、前記減額算定の基礎とする広告閲覧の回数又はこれに係数を掛けた値、或いは、頻度乃至度数に相応する数値をポイントとして蓄積・更新するポイント管理テーブルを有するものであることを特徴とする請求項２４に記載のインターネット接続サービス用システム。
【請求項２６】
前記サービスサーバは、前記ポイントを計数するシステムを運営するＩＳＰにて蓄積している広告をインターネットを介して外部から閲覧したユーザについても該当するポイントを蓄積・更新するように構成されてたものであることを特徴とする請求項２５に記載のインターネット接続サービス用システム。
【請求項２７】
前記サービスサーバは、更に、前記広告データによる広告毎にその配信の回数乃至度数等の配信履歴を蓄積・更新される配信履歴蓄積データを保有するように構成されたものであることを特徴とする請求項２１に記載のインターネット接続サービス用システム。
【請求項２８】
前記サービスサーバは、更に、広告依頼主が蓄積している広告データをユーザがインターネット経由で閲覧した状況を認識するように構成され、前記広告データによる広告毎にその配信の回数乃至度数等の配信履歴が蓄積・更新される配信履歴蓄積データを保有するように構成されたものであることを特徴とする請求項２１に記載のインターネット接続サービス用システム。
【請求項２９】
前記サービスサーバは、更に、広告依頼主からの依頼による広告に関する広告データを蓄積・保有する広告配信業者の運営するシステムに、ユーザがインターネット経由でアクセスし広告を閲覧した状況を認識するように構成され、前記広告データによる広告毎にその配信の回数乃至度数等の配信履歴が蓄積・更新される配信履歴蓄積データを保有するように構成されたものであることを特徴とする請求項２１に記載のインターネット接続サービス用システム。
【請求項３０】
複数の広告依頼主からの依頼による広告に関する広告データを蓄積・保有する広告配信業者の運営する前記システムは、更に、広告の配信の回数乃至度数を記録して配信の回数乃至度数に応じた料金を広告依頼主から獲得するための配信記録データを保有するように構成されたものであることを特徴とする請求項２９に記載のインターネット接続サービス用システム。
【請求項３１】
更に、ユーザのサービスクラス毎に予め設定されたＱｏＳ（Ｑｕａｌｉｔｙ  ｏｆ  Ｓｅｒｖｉｃｅ）を制御するためのＱｏＳ装置を備え、前記サービスサーバは、サービス毎の通信品質を設定してある通信品質管理テーブルを有するものであることを特徴とする請求項２１に記載のインターネット接続サービス用システム。
【請求項３２】
更に、ユーザのサービスクラス毎に予め設定された区分に従って通信メディアを制限するためのアクセス制御装置を備え、前記サービスサーバは、サービスクラス毎にアクセス可能なメディア及びプロトコルを定義したメディア管理テーブルを有するものであることを特徴とする請求項２１に記載のインターネット接続サービス用システム。
【発明の詳細な説明】
【０００１】
【発明の属する技術分野】
本発明は、例えば、公共の場でのインターネット接続サービス（以下「公共型インターネット接続サービス」という。）等のインターネット接続サービスの提供方法および該方法の実施に適用するシステムに関する。
【０００２】
【従来の技術】
近年、例えばインターネットカフェや、空港、ホテル、喫茶店やファーストフード店等の店舗内等の特定の場所でインターネット接続やコンテンツサービスを提供する、いわゆる「ホットスポットサービス」が実用化されるようになりつつある。これは、極めて限定的なエリア内に対してのサービスとして、無線ＬＡＮやＢｌｕｅｔｏｏｔｈ等のローカルワイヤレスインタフェースと称される無線技術によってインターネット接続等のサービスを提供するものである。
【０００３】
しかしながら、一般の顧客が外出先でＩＳＰ（Ｉｎｔｅｒｎｅｔ  Ｓｅｒｖｉｃｅ  Ｐｒｏｖｉｄｅｒ）のアクセスポイントに公衆回線等を利用して接続する場合は、予め、そのＩＳＰに会員として入会していなければ利用することはできない。従って利用のためにコストや手間がかかるが、このような事情に対処するために、例え自宅外であっても、無料で又は安価に、かつ、手軽にインターネット接続サービスを受けることができるようにした技術が提案されている（例えば、特許文献１等参照）。
また、プロバイダが単位時間毎のインターネット接続料金や回線品質の異なる少なくとも２つ以上のコースを設定し、利用可能なコースの異なるＩＤを一人のユーザに対し少なくとも２つ以上割り振ることによって、ユーザが１契約で利用形態を接続時の状況に応じて選択可能にする技術が提案されている（例えば、特許文献２等参照）。
【０００４】
一方、インターネット接続サービスに関する課金の方法として、ユーザ端末からネットワークへ接続する場合に、接続の度に使用したいネットワークサービスのサービス条件をユーザが自由に選択して指定し、そのサービス条件に応じたサービスクラスとユーザが使用する通信量に応じてネットワークサービスの使用料金を徴収することを本出願人は先に提案している（例えば、特許文献３等参照）。
【０００５】
また、同じＩＳＰ（Ｉｎｔｅｒｎｅｔ  Ｓｅｒｖｉｃｅ  Ｐｒｏｖｉｄｅｒ）のアクセスポイントを多くの加入者が利用する場合等では、当該アクセスポイントと加入者の間の網を加入者間で共用するため、大量のファイルをダウンロードする加入者が存在すると、その他のユーザのスループットが大幅に低下するという深刻な影響を与え、スループットの公平性をユーザに保証できないという問題が生じてしまうため、このような問題に対処するべく、ＩＳＰが加入者固有のネットワーク接続情報により加入者を個別に識別し、加入者の契約内容に応じた適切なトラフィック調整、ネットワーク接続状況監視を可能にするインターネットアクセス管理方式も提案されている（例えば、特許文献４等参照）。
【０００６】
更に、インターネット等の通信網と接続可能なコンピュータと、広告が格納された広告ファイルと、ユーザに関する情報が格納されたユーザデータファイルとを備え、コンピュータは、通信網を介し入力される広告配信の要求に基づいて要求に係る広告を広告ファイルから読み出し、要求に係るユーザの通信識別情報を付して通信網に出力するとともに、要求に係るユーザの広告配信履歴および配信履歴に基づいてユーザに提供する特典をユーザデータファイルに記録するように広告システムを構築し、これによって広告の配信を受けると通信料金が割引かれる等の種々の特典があるので、ユーザが多くの広告を見るようになり、広告効果が向上することを狙った提案もなされている（例えば、特許文献５等参照）。
【０００７】
【特許文献１】
特開２００１−２６６０１８号公報  （段落０００３−０００４、図１）
【特許文献２】
特開２００２−３２２７９号公報  （段落０００５−００１５、図１）
【特許文献３】
特開２００１−２９８４８４号公報  （段落０００４−００１２、図１）
【特許文献４】
特開２００１−２８５３５３号公報  （段落０００６−００１０、図１）
【特許文献５】
特開２００２−１７００２７号公報  （段落０００３−００１７、図１）
【０００８】
【発明が解決しようとする課題】
一般的な公共型インターネット接続サービスでは、ユーザの必要とするサービスに関係なく一律のサービスのみが提供され、ユーザは一律の料金を支払う必要がある。サービスの多様化を図るために、ユーザが一つの契約で所望に応じて利用の都度サービスの形態を選択可能にするようにしたシステムも記述のように提案されているが、場合によっては却って操作や判断が煩雑に過ぎる虞れがある。
【０００９】
本発明はこのような問題に鑑みてなされたものであり、従来のサービスを多様化させ、ユーザが選択できる権利を与え、また業者はサービス多様化によるユーザ拡大を図り、且つ、ユーザの操作や判断が煩雑に過ぎることのないインターネット接続サービスを提供する方法および該方法の実施に適用するシステムを実現することを目的とする。
【００１０】
【課題を解決するための手段】
上述の課題を解決するため、本発明は、次のような特徴的なものである。
【００１１】
（１）ネットワークへのログインを認証する対象としているユーザ毎に適用するサービスクラスを予め設定しておき、ログインした前記ユーザについて前記設定がなされているサービスクラスを認識し、この認識に基づいて当該サービスクラスに相応したサービスを該当するユーザに提供するインターネット接続サービスの提供方法。
【００１２】
（２）当該サービスクラスに相応した料金を料金管理データに基づいて算出し、該当するユーザに課金する上記（１）に記載のインターネット接続サービスの提供方法。
【００１３】
（３）前記ユーザ毎に適用するサービスクラスを予め契約に基づいて設定しておく上記（１）に記載のインターネット接続サービスの提供方法。
【００１４】
（４）特定のＩＳＰ（Ｉｎｔｅｒｎｅｔ  Ｓｅｒｖｉｃｅ  Ｐｒｏｖｉｄｅｒ）が複数の箇所でインターネット接続サービスを提供するようにし、前記ＩＳＰのシステムとして、ユーザ毎に設定してあるサービスクラスに係るデータを集約してなるユーザ管理データ、及び、当該サービスクラスに対応したサービス内容を表したサービスクラス対応データを保有し、該ユーザ管理データ及びサービスクラス対応データに基づいて、前記インターネット接続サービスを利用するユーザに対して、前記複数の箇所の何れからの接続であるかに拠らずに、ユーザ毎にその任意に応じて設定されたサービスを提供するインターネット接続サービスの提供方法。
【００１５】
（５）更に、予め広告依頼主より受信し蓄積しておいた広告データを前記サービスクラスに相応した形態でログインしたユーザに配信する上記（１）に記載のインターネット接続サービスの提供方法。
【００１６】
（６）前記広告データの該当するユーザへの配信に係る利用乃至通信サービス料金を、前記広告依頼主が依頼対象の広告に応じてＩＳＰに支払う広告料金によって賄う上記（５）に記載のインターネット接続サービスの提供方法。
【００１７】
（７）更に、予め広告依頼主より受信し蓄積しておいた広告データをユーザからの広告配信要求に応じた形態で該当するユーザに配信する上記（１）に記載のインターネット接続サービスの提供方法。
【００１８】
（８）更に、当該インターネット接続サービスの利用料金から広告閲覧の回数や頻度に相応する広告閲覧分の減額を行った額を課金する上記（７）に記載のインターネット接続サービスの提供方法。
【００１９】
（９）更に、前記減額算定の基礎とする広告閲覧の回数又はこれに係数を掛けた値、或いは、頻度乃至度数に相応する数値をポイントとして蓄積・更新する上記（８）に記載のインターネット接続サービスの提供方法。
【００２０】
（１０）前記ポイントは、該ポイントを計数するシステムを運営するＩＳＰにて蓄積している広告をインターネットを介して外部から閲覧したユーザについても蓄積・更新する上記（９）に記載のインターネット接続サービスの提供方法。
【００２１】
（１１）更に、予め広告依頼主より受信し蓄積しておいた広告データをログインしたユーザに配信するようにし、前記広告データによる広告毎にその配信の回数乃至度数等の配信履歴を蓄積・更新する（１）に記載のインターネット接続サービスの提供方法。
【００２２】
（１２）更に、広告依頼主が蓄積している広告データをユーザがインターネット経由で閲覧した状況を認識するようにし、前記広告データによる広告毎にその配信の回数乃至度数等の配信履歴を蓄積・更新する上記（１）に記載のインターネット接続サービスの提供方法。
【００２３】
（１３）更に、広告依頼主からの依頼による広告に関する広告データを蓄積・保有する広告配信業者の運営するシステムに、ユーザがインターネット経由でアクセスし広告を閲覧した状況を認識するようにし、前記広告データによる広告毎にその配信の回数乃至度数等の配信履歴を蓄積・更新する上記（１）に記載のインターネット接続サービスの提供方法。
【００２４】
（１４）更に、複数の広告依頼主からの依頼による広告に関する広告データを蓄積・保有する広告配信業者の運営する前記システムに、広告の配信の回数乃至度数を記録して配信の回数乃至度数に応じた料金を広告依頼主から獲得するための配信記録データを保有する上記（１３）に記載のインターネット接続サービスの提供方法。
【００２５】
（１５）更に、ログインした当該ユーザのサービスクラスを認識し、そのサービスクラスに対応するものとして予め設定した通信品質によってクラス分けされたサービスをユーザに提供する上記（１）に記載のインターネット接続サービスの提供方法。
【００２６】
（１６）更に、ログインしたユーザのサービスクラスを認識し、そのサービスクラスに対応するものとして予め設定したアクセス可能なメディアおよびプロトコルの種類によってクラス分けされたサービスをユーザに提供する上記（１）に記載のインターネット接続サービスの提供方法。
【００２７】
（１７）複数のユーザ毎のネットワーク利用状況を管理するネットワーク管理サーバ、インターネットに接続するためのルータ、及び、サービスサーバを含んで構成され、前記サービスサーバは、ユーザの利用できるサービスクラスを管理するためのサービスクラスデータとユーザ毎の課金状況を管理するための料金管理データとに基づいてユーザに対するサービスと課金の管理を行うように構成された上記（１）に記載の方法の実施に適用するインターネット接続サービス用システム。
【００２８】
（１８）前記料金管理データは該当するユーザ毎のサービスクラスに相応した料金を課金するための基礎となるものである（１７）に記載のインターネット接続サービス用システム。
【００２９】
（１９）前記サービスクラスデータはユーザ毎に適用するサービスクラスを予め契約に基づいて設定しておくことにより構築されたものである（１７）に記載のインターネット接続サービス用システム。
【００３０】
（２０）ＩＳＰ（Ｉｎｔｅｒｎｅｔ  Ｓｅｒｖｉｃｅ  Ｐｒｏｖｉｄｅｒ）による運用の下に複数の箇所でインターネット接続サービスを提供可能になされ、ユーザ毎に設定してあるサービスクラスに係るデータを集約してなるユーザ管理データベースと、当該サービスクラスに対応したサービス内容を表したサービスクラス対応表を含んで構成され、該ユーザ管理データベース及びサービスクラス対応表に基づいて、前記インターネット接続サービスを利用するユーザに対して、前記複数の箇所の何れからの接続であるかに拠らずに、ユーザ毎にその任意に応じて設定されたサービスを提供可能になされた上記（４）に記載の方法の実施に適用するインターネット接続サービス用システム。
【００３１】
（２１）更に、予め広告依頼主から受信した広告データを蓄積しユーザに対して配信を行うための広告配信サーバを含んでなり、この広告配信サーバは、該当する広告データを前記サービスサーバのデータにより認識されるサービスクラスに相応した形態でログインしたユーザに配信するために適用されるものである上記（１７）に記載のインターネット接続サービス用システム。
【００３２】
（２２）前記サービスサーバは、広告配信やこれに掛かる通信サービス料金をユーザに課金しないように構成されたものである上記（１７）に記載のインターネット接続サービス用システム。
【００３３】
（２３）前記サービスサーバは、ユーザ毎の広告配信要求に適合するようにサービスクラスを管理するためのサービスクラス対応表、及び、ユーザ毎に料金を管理する料金管理テーブルを有し、前記サービスクラス対応表に基づいて予め広告依頼主より受信し蓄積しておいた広告データをユーザからの広告配信要求に応じた形態で該当するユーザに配信することを可能ならしめるようにしたものである上記（１７）に記載のインターネット接続サービス用システム。
【００３４】
（２４）前記サービスサーバは、前記料金管理テーブルが、インターネット接続サービスの利用料金から広告閲覧の回数や頻度に相応する広告閲覧分の減額を行った額へと自己のデータが更新されるように構成されたものである上記（２３）に記載のインターネット接続サービス用システム。
【００３５】
（２５）前記サービスサーバは、更に、前記減額算定の基礎とする広告閲覧の回数又はこれに係数を掛けた値、或いは、頻度乃至度数に相応する数値をポイントとして蓄積・更新するポイント管理テーブルを有するものである上記（２４）に記載のインターネット接続サービス用システム。
【００３６】
（２６）前記サービスサーバは、前記ポイントを計数するシステムを運営するＩＳＰにて蓄積している広告をインターネットを介して外部から閲覧したユーザについても該当するポイントを蓄積・更新するように構成されてたものである上記（２５）に記載のインターネット接続サービス用システム。
【００３７】
（２７）前記サービスサーバは、更に、前記広告データによる広告毎にその配信の回数乃至度数等の配信履歴を蓄積・更新される配信履歴蓄積データを保有するように構成されたものである上記（２１）に記載のインターネット接続サービス用システム。
【００３８】
（２８）前記サービスサーバは、更に、広告依頼主が蓄積している広告データをユーザがインターネット経由で閲覧した状況を認識するように構成され、前記広告データによる広告毎にその配信の回数乃至度数等の配信履歴が蓄積・更新される配信履歴蓄積データを保有するように構成されたものである上記（２１）に記載のインターネット接続サービス用システム。
【００３９】
（２９）前記サービスサーバは、更に、広告依頼主からの依頼による広告に関する広告データを蓄積・保有する広告配信業者の運営するシステムに、ユーザがインターネット経由でアクセスし広告を閲覧した状況を認識するように構成され、前記広告データによる広告毎にその配信の回数乃至度数等の配信履歴が蓄積・更新される配信履歴蓄積データを保有するように構成されたものである上記（２１）に記載のインターネット接続サービス用システム。
【００４０】
（３０）複数の広告依頼主からの依頼による広告に関する広告データを蓄積・保有する広告配信業者の運営する前記システムは、更に、広告の配信の回数乃至度数を記録して配信の回数乃至度数に応じた料金を広告依頼主から獲得するための配信記録データを保有するように構成されたものである上記（２９）に記載のインターネット接続サービス用システム。
【００４１】
（３１）更に、ユーザのサービスクラス毎に予め設定されたＱｏＳ（Ｑｕａｌｉｔｙ  ｏｆ  Ｓｅｒｖｉｃｅ）を制御するためのＱｏＳ装置を備え、前記サービスサーバは、サービス毎の通信品質を設定してある通信品質管理テーブルを有するものである上記（２１）に記載のインターネット接続サービス用システム。
【００４２】
（３２）更に、ユーザのサービスクラス毎に予め設定された区分に従って通信メディアを制限するためのアクセス制御装置を備え、前記サービスサーバは、サービスクラス毎にアクセス可能なメディア及びプロトコルを定義したメディア管理テーブルを有するものである上記（２１）に記載のインターネット接続サービス用システム。
【００４３】
【発明の実施の形態】
以下、本発明によるインターネット接続サービスの提供方法および該方法の実施に適用するシステムの好適実施形態の構成及び動作を添付図を参照して詳細に説明する。
【００４４】
図１は本発明の一つの実施形態を示すブロック図である。図１において、インターネットカフェ、ホットスポットなどの公共の場でインターネット接続を行うための有線または無線ＬＡＮを提供するサービスシステムである公共型インターネット接続サービスシステム１００は、複数のユーザ（図示の例では、ユーザＡ，ユーザＢ，ユーザＣ）夫々のネットワーク利用状況を管理するネットワーク管理サーバ（以下、ネットワーク認証サーバとも称する）１０１、インターネットに接続するためのルータ１０２、及び、ユーザに対するサービスと課金の管理を行うサービスサーバ１０３を含んで構成される。
【００４５】
このサービスサーバ１０３は、ユーザの利用できるサービスクラスを管理するサービスクラス対応表１０４とユーザ毎の課金状況を管理する料金管理テーブル１０５とを有する。ユーザの利用できるサービスクラスは予め契約に基づいて設定される。
【００４６】
ユーザがサービスを利用するためにネットワークにアクセスすると、ネットワーク認証サーバ１０１に対してユーザログイン要求が送出され、ネットワーク認証サーバ１０１よりユーザに対してユーザＩＤとパスワードの入力を要求する。ユーザがユーザＩＤとパスワードを入力すると、この入力値がネットワーク認証サーバ１０１に送出され、このユーザＩＤとパスワードによりログイン認証が行われ、認証に合格するとログインが許可される。その際、ネットワーク認証サーバ１０１は、ユーザがログインしたことをサービスサーバ１０３に対して通知する。
【００４７】
サービスサーバ１０３は、サービスクラス対応表１０４からログインしたユーザに対応するサービスクラスを認識し、ログインしたユーザに対してサービスを提供する。図示の例では、ユーザＡにはサービスクラスＡが対応し、ユーザＢにはサービスクラスＢが対応し、ユーザＣにはサービスクラスＣが対応している（尚、以下、本願の各図において、上述の対応関係については同様の表記を以って示してある）。一方で、料金管理テーブル１０５に基づいて、サービス利用ユーザに課金を行う。ユーザが公共型インターネット接続サービスの利用を終了した時には、料金管理テーブル１０５に基づいて利用料金を算出し、ユーザに対してその料金の徴収を行う。
【００４８】
図１の実施形態について、ユーザが公共型インターネット接続サービスシステム１００に接続し、サービスを受けるまでの動作を図２のフローチャートを用いて詳細に説明する。
【００４９】
先ず、ユーザがネットワークにアクセスすると、ネットワーク認証サーバ１０１がユーザログイン要求を検出し（Ｓ１０１１）、ユーザ（送信元）に対してユーザＩＤとパスワードの入力を要求する（Ｓ１０１２）。ユーザによるユーザＩＤとパスワードの入力が受信されるのを待ち（Ｓ１０１３）、このユーザＩＤとパスワードの入力が受信されると（Ｓ１０１４）、ネットワーク認証サーバ１０１はログイン認証を行う（Ｓ１０１５）。
【００５０】
この認証結果を認識し（Ｓ１０１６）ＯＫであると認識された場合にはネットワーク認証サーバ１０１はサービスサーバ１０３に対してユーザログインが行われたことを通知する（Ｓ１０１７）。一方、ＯＫであると認識されない場合にはネットワーク認証サーバ１０１はユーザ（送信元）に対してログイン不可通知を送信する（Ｓ１０１８）。
【００５１】
上述のようにしてネットワーク認証サーバ１０１からのユーザログイン通知（Ｓ１０１７）をサービスサーバ１０３が受け取ると（Ｓ１０３１）、サービスサーバ１０３は自己の保有するサービスクラス対応表１０４を参照して、ログインしたユーザのサービスクラスを求め（Ｓ１０３２）、ログインしたユーザに対してサービスを提供する。一方、求めたサービスクラスに対応する料金を該料金の管理データを集約した料金管理テーブル１０５から算出し（Ｓ１０３３）、ログインしたユーザに課金を行う。
【００５２】
従来のインターネットカフェやホットスポットでは、ユーザは一律の料金を支払い、一律のサービスのみ提供されていたが、図１及び図２に基づいて説明した実施形態によれば、ユーザは自身の希望するサービスを選択でき、ユーザの必要とするサービスに応じた料金のみを支払うことができる。サービスの形態（サービスクラス）は個々のユーザ毎の契約によって規定されているため、ユーザ側では利用の都度サービスの形態を選択する必要はないため操作や判断が煩雑に過ぎる虞れもない。一方で、公共型インターネット接続サービス業者は、多種多様のサービスを展開することでユーザのシステム利用促進が期待できる。
【００５３】
図３は、本発明の他の実施形態を示すブロック図である。インターネットカフェなどの公共的なインターネット接続サービスはある特定のＩＳＰ（Ｉｎｔｅｒｎｅｔ  Ｓｅｒｖｉｃｅ  Ｐｒｏｖｉｄｅｒ）がチェーン店などを用いて複数の箇所でサービスを提供するケースがある。このような営業形態の場合において、ＩＳＰ１１０のシステムとして、ユーザ毎に設定してあるサービスクラスに係るデータを集約してなるユーザ管理データベース１１１、及び、当該サービスクラスに対応したサービス内容を記述したサービスクラス対応表１１２を構築し、公共型インターネット接続サービスを利用するユーザに対して異なるサービスクラスを提供し、ユーザは公共型インターネット接続のサービスＡ乃至サービスＤのいずれを利用した場合でも希望するユーザ毎に任意に応じて設定されたサービスを利用することができる。
【００５４】
図４は、本発明の更に他の実施形態を示すブロック図である。図４の実施形態では、公共型インターネット接続サービスシステム２００は、ユーザがネットワークにログインする際の認証を行う既述のネットワーク管理サーバ（ネットワーク認証サーバ）１０１と同様のネットワーク認証サーバ２０２、インターネットに接続するためのルータ２０３、ユーザに対するサービスと課金の管理を行うサービスサーバ２０４、及び、広告依頼主２１０から受信した広告データを蓄積しユーザに対して配信を行う広告配信サーバ２０７とを含んで構成される。サービスサーバ２０４は、ユーザ毎にサービスクラスを管理するサービスクラス対応表２０５、サービス毎に広告配信周期を記載した配信管理テーブル２０６とを有する。
【００５５】
図５は、図４の実施形態全体の動作を表すフローチャートである。
まず、ユーザが公共型インターネット接続サービスシステム２００にアクセスすると、ネットワーク認証サーバ２０２は、ユーザのアクセスを検知し（Ｓ２０２１）、ユーザに対してユーザＩＤとパスワードの入力を要求する（Ｓ２０２２）。ユーザによるユーザＩＤとパスワードの入力が受信されるのを待ち（Ｓ２０２３）、このユーザＩＤとパスワードの入力が受信されると（Ｓ２０２４）、ネットワーク認証サーバ２０２は登録されているユーザのＩＤとパスワードとのマッチングを行うことでログイン認証を行う（Ｓ２０２５）。この認証結果を認識し（Ｓ２０２６）一致していると認識された場合にはネットワーク認証サーバ２０２はサービスサーバ２０４に対してユーザログインが行われたことを通知する（Ｓ２０２７）。一方、一致していると認識されない場合にはネットワーク認証サーバ２０２はユーザ（送信元）に対してログイン不可通知を送信する（Ｓ２０２８）。
【００５６】
サービスサーバ２０４は、ユーザログイン通知を受信すると（Ｓ２０４１）、サービスクラス対応表２０５を検索してログインしたユーザのサービスクラスを認識し、そのサービスクラスに応じたサービスをユーザに対して行い（Ｓ２０４２）、ユーザのサービスクラスに応じた広告配信形態の一つとしての例えば広告配信周期を配信管理テーブル２０６より取得し（Ｓ２０４３）、配信通知を広告配信サーバ２０７に送信する（Ｓ２０４４）。広告配信サーバ２０７は配信通知を受信すると（Ｓ２０７１）、ログインしたユーザに対して予め広告依頼主２１０より受信し蓄積しておいた広告データを上記（Ｓ２０４３）にて規定された形態で配信する（Ｓ２０７２）。
【００５７】
図６は図５のフローチャートに基づいて説明した図４のシステムの作用を示す概念図である。図５及び図６を参照して理解されるとおり、公共型インターネット接続サービス業者からユーザへの広告配信やこれに掛かる通信サービス料金は広告依頼主が依頼対象の広告に応じて支払う広告料金によって賄われる。即ち、公共型インターネット接続サービス業者の運営するシステムのサービスサーバは広告配信やこれに掛かる通信サービス料金をユーザに課金しないように構成される。このため、ユーザは利用料金を負担することなく公共型インターネット接続サービスを利用でき、公共型インターネット接続サービス業者は広告収入を獲得でき、広告依頼主は広告効果を獲得できる。
【００５８】
図７は、本発明の更に他の実施形態を示すブロック図である。図７の実施形態では、公共型インターネット接続サービスシステム３００は、ユーザがネットワークにログインする際の認証を行う既述のネットワーク管理サーバ（ネットワーク認証サーバ）１０１同様のネットワーク認証サーバ３０２、インターネットに接続するためのルータ３０３、ユーザに対するサービスと課金の管理を行うサービスサーバ３０４、及び、広告依頼主３１０から受信した広告データを蓄積しユーザに対して配信を行う広告配信サーバ３０７とを含んで構成される。サービスサーバ３０４は、ユーザ毎にサービスクラスを管理するサービスクラス対応表３０５、及び、ユーザ毎に料金を管理する料金管理テーブル３０６を有する。
【００５９】
図８、図９は、図７の実施形態の動作を表すフローチャートである。
まず、ユーザが公共型インターネット接続サービスシステム３００にアクセスすると、ネットワーク認証サーバ３０２は、ユーザのアクセスを検知し（Ｓ３０２１）、ユーザに対してユーザＩＤとパスワードの入力を要求する（Ｓ３０２２）。ユーザによるユーザＩＤとパスワードの入力が受信されるのを待ち（Ｓ３０２３）、このユーザＩＤとパスワードの入力が受信されると（Ｓ３０２４）、ネットワーク認証サーバ３０２は登録されているユーザのＩＤとパスワードとのマッチングを行うことでログイン認証を行う（Ｓ３０２５）。この認証結果を認識し（Ｓ３０２６）一致していると認識された場合にはネットワーク認証サーバ３０２はサービスサーバ３０４に対してユーザログインが行われたことを通知する（Ｓ３０２７）。一方、一致していると認識されない場合にはネットワーク認証サーバ３０２はユーザ（送信元）に対してログイン不可通知を送信する（Ｓ３０２８）。
【００６０】
サービスサーバ３０４は、ユーザログイン通知を受信すると（Ｓ３０４１）、サービスクラス対応表３０５を検索してログインしたユーザのサービスクラスを認識し、そのサービスクラスに応じたサービスをユーザに対して行い（Ｓ３０４２）、ユーザのサービスクラスに応じた利用料金を料金課金テーブル３０６に格納する（Ｓ３０４３）。
【００６１】
ユーザはサービス利用料金を減額する目的で利用時間内に広告を閲覧するために、広告配信サーバ３０７にアクセスする。ユーザからの広告配信要求を受信した広告配信サーバ３０７は（Ｓ３０７１）、あらかじめ広告依頼主３１０より受信しておいた広告データのユーザに対しての配信を開始する（Ｓ３０７２）。この配信のための通信が行なわれ（Ｓ３０７３）、その後、広告配信が完了したら（Ｓ３０７４）、サービスサーバ３０４に対して広告配信完了通知を送信する（Ｓ３０７５）。
【００６２】
この広告配信の回数や頻度は、通常の場合、そのままユーザによる広告閲覧の回数や頻度に相当することになる。広告配信が完了する前に、ユーザより配信停止要求を受信した場合には（Ｓ３０７６）、広告配信を停止し（Ｓ３０７７）、通知は行わない。サービスサーバ３０４は、上述の広告配信完了通知（Ｓ３０７５）を受信したときには（Ｓ３０４４）、ログインしたユーザの利用料金が０より大であるか否かを判断し（Ｓ３０４５）、０より大である場合には、利用料金から上述の広告閲覧の回数や頻度に相応する広告閲覧分の減算を行い、料金管理テーブル３０６を更新する（Ｓ３０４６）。
【００６３】
これにより、ユーザは、システムにより決められた一定周期ではなく、ユーザの希望する時間に希望する内容の広告を閲覧することで、サービス利用料金を削減、さらには無料にすることが可能となる。
【００６４】
図１０は本発明の他の実施形態を示すブロック図である。図１０において、本実施例における公共型インターネット接続サービスシステム４００は、ユーザがネットワークにログインする際の認証を行う既述のネットワーク管理サーバ（ネットワーク認証サーバ）１０１同様のネットワーク認証サーバ４０２、インターネットに接続するためのルータ４０３、ユーザに対するサービスと課金の管理を行うサービスサーバ４０４、及び、広告依頼主４１０から受信した広告データを蓄積しユーザに対して配信を行う広告配信サーバ４０８とを含んで構成される。サービスサーバ４０４は、ユーザ毎にサービスクラスを管理するサービスクラス対応表４０５、ユーザ毎に料金を管理する料金管理テーブル４０６、ユーザの広告閲覧ポイント、即ち、広告閲覧の回数又はこれに係数を掛けた値、或いは、頻度乃至度数に相応する数値、を蓄積するポイント管理テーブル４０７を有する
【００６５】
図１１、図１２は図１０の実施形態の動作を示すフローチャートである。まず、ネットワーク外部からユーザが公共型インターネット接続サービスシステム４００にアクセスするする。このとき、ネットワーク認証サーバ４０２は、ネットワーク外部からのユーザのアクセスを検知し（Ｓ４０２１）、外部のユーザに対してユーザＩＤとパスワードの入力を要求する（Ｓ４０２２）。ユーザによるユーザＩＤとパスワードの入力が受信されるのを待ち（Ｓ４０２３）、このユーザＩＤとパスワードの入力が受信されると（Ｓ４０２４）、ネットワーク認証サーバ４０２は登録されているユーザのＩＤとパスワードとのマッチングを行うことでログイン認証を行う（Ｓ４０２５）。この認証結果を認識し（Ｓ４０２６）一致していると認識された場合にはネットワーク認証サーバ４０２は広告配信サーバ４０８に対してユーザログインが行われたことを通知する（Ｓ４０２７）。一方、一致していると認識されない場合にはネットワーク認証サーバ４０２はユーザ（送信元）に対してログイン不可通知を送信する（Ｓ４０２８）。
【００６６】
広告配信サーバ４０８は、ネットワーク外部からのユーザログイン通知を受信すると（Ｓ４０８１）、ログインしたユーザに対して広告配信可能状態になる（Ｓ４０８２）。その後、ログインしたユーザより広告配信要求を受信すると（Ｓ４０８３）、広告データを配信開始する（Ｓ４０８４）。この配信のための送信状態が所要の時間に亘って継続し（Ｓ４０８５）、広告データの配信が完了すると（Ｓ４０８６）、広告配信サーバ４０８はサービスサーバ４０４に対して、広告配信完了通知を送出する（Ｓ４０８７）。配信完了する前に、ユーザより配信停止要求を受信した場合には（Ｓ４０８８）、配信を停止する（Ｓ４０８９）。
【００６７】
サービスサーバ４０４は、広告配信完了通知を受信すると（Ｓ４０４１）、ただいまのユーザのサービス利用料金が０より大であるか否かの判定を行い（Ｓ４０４２）、０より大である場合には、利用料金から広告閲覧分の減算を行い、料金管理テーブル４０６を更新する（Ｓ４０４３）。０である場合はポイント管理テーブル４０７の広告閲覧ポイントを加算する（Ｓ４０４４）。
【００６８】
次にユーザが公共型インターネット接続サービスを利用した場合の動作に関して説明すると、まず、ユーザが公共型インターネット接続サービスシステム４００にアクセスすると、ネットワーク認証サーバ４０２は、ユーザのアクセスを検知し（Ｓ４０２１）、外部のユーザに対してユーザＩＤとパスワードの入力を要求する（Ｓ４０２２）。ユーザによるユーザＩＤとパスワードの入力が受信されるのを待ち（Ｓ４０２３）、このユーザＩＤとパスワードの入力が受信されると（Ｓ４０２４）、ネットワーク認証サーバ４０２は登録されているユーザのＩＤとパスワードとのマッチングを行うことでログイン認証を行う（Ｓ４０２５）。この認証結果を認識し（Ｓ４０２６）一致していると認識された場合にはネットワーク認証サーバ４０２はサービスサーバ４０４に対してユーザログインが行われたことを通知する（Ｓ４０２７−１）。一方、一致していると認識されない場合にはネットワーク認証サーバ４０２はユーザ（送信元）に対してログイン不可通知を送信する（Ｓ４０２８）。
【００６９】
サービスサーバ４０４は、ユーザログイン通知を受信すると（Ｓ４０４５）、サービスクラス対応表４０５を検索してログインしたユーザのサービスクラスを認識し、そのサービスクラスに応じたサービスをユーザに対して行い（Ｓ４０４６）、ユーザのサービスクラスに応じた利用料金を料金課金テーブル４０６に格納する（Ｓ４０４７）。次に、ユーザの広告閲覧ポイントをポイント管理テーブル４０７より取得し（Ｓ４０４８）、利用料金から広告閲覧ポイント分を差し引く（Ｓ４０４９）。即ち、当該インターネット接続サービスの利用料金から広告閲覧の回数や頻度に相応する広告閲覧分の減額を行った額を課金する。これにより、ユーザは、サービス利用時間内だけではなく、ネットワーク外部から希望する場所から希望する時間にアクセスし、広告閲覧することで、サービスの利用料金を削減、さらには無料にすることができる。
【００７０】
図１３は、本発明の更に他の実施形態を示すブロック図である。この図１３のシステムは、図７に基づいて説明した公共型インターネット接続サービスシステムに、広告毎の広告配信履歴を蓄積・更新することができる配信履歴蓄積データ５０７を加えたシステムであり、広告配信履歴データを集計することで広告毎にユーザの関心度を把握することが可能となる。
【００７１】
図１３において、公共型インターネット接続サービスシステム５００は、ユーザがネットワークにログインする際の認証を行う既述のネットワーク管理サーバ（ネットワーク認証サーバ）１０１同様のネットワーク認証サーバ５０２、インターネットに接続するためのルータ５０３、ユーザに対するサービスと課金の管理を行うサービスサーバ５０４、及び、広告依頼主５１０から受信した広告データを蓄積しユーザに対して配信を行う広告配信サーバ５０８とを含んで構成される。サービスサーバ５０４は、ユーザ毎にサービスクラスを管理するサービスクラス対応表５０５、及び、ユーザ毎に料金を管理する料金管理テーブル５０６、及び、広告配信履歴を蓄積・更新することができる配信履歴蓄積データ５０７を有する。
【００７２】
図１４、図１５は、図１３の実施形態の動作を表すフローチャートである。まず、ユーザが公共型インターネット接続サービスシステム５００にアクセスすると、ネットワーク認証サーバ５０２は、ユーザのアクセスを検知し（Ｓ５０２１）、ユーザに対してユーザＩＤとパスワードの入力を要求する（Ｓ５０２２）。ユーザによるユーザＩＤとパスワードの入力が受信されるのを待ち（Ｓ３０２３）、このユーザＩＤとパスワードの入力が受信されると（Ｓ５０２４）、ネットワーク認証サーバ５０２は登録されているユーザのＩＤとパスワードとのマッチングを行うことでログイン認証を行う（Ｓ５０２５）。この認証結果を認識し（Ｓ３０２６）一致していると認識された場合にはネットワーク認証サーバ５０２はサービスサーバ５０４に対してユーザログインが行われたことを通知する（Ｓ３０２７）。一方、一致していると認識されない場合にはネットワーク認証サーバ５０２はユーザ（送信元）に対してログイン不可通知を送信する（Ｓ５０２８）。
【００７３】
サービスサーバ５０４は、ユーザログイン通知を受信すると（Ｓ５０４１）、サービスクラス対応表５０５を検索してログインしたユーザのサービスクラスを認識し、そのサービスクラスに応じたサービスをユーザに対して行い（Ｓ５０４２）、ユーザのサービスクラスに応じた利用料金を料金課金テーブル５０６に格納する（Ｓ５０４３）。ユーザはサービス利用料金を減額する目的で利用時間内に広告を閲覧するために、広告配信サーバ５０８にアクセスする。
【００７４】
広告配信サーバ５０８はユーザからの広告配信要求を受信すると（Ｓ５０８１）、あらかじめ広告依頼主５１０より受信しておいた広告データのユーザに対しての配信を開始する（Ｓ５０８２）。この配信のための通信が行なわれ（Ｓ５０８３）、その後、広告配信が完了したら（Ｓ５０８４）、サービスサーバ５０４に対して広告配信完了通知を送信する（Ｓ５０８５）。広告配信が完了する前に、ユーザより配信停止要求を受信した場合には（Ｓ５０８６）、広告配信を停止し（Ｓ５０８７）、通知は行わない。サービスサーバ５０４は、上述の広告配信完了通知（Ｓ５０８５）を受信したときには（Ｓ５０４４）、ログインしたユーザの利用料金が０より大であるか否かを判断し（Ｓ５０４５）、０より大である場合には、利用料金から広告閲覧分の減算を行い、料金管理テーブル５０６を更新する（Ｓ５０４６）。これにより、ユーザは、システムにより決められた一定周期ではなく、ユーザの希望する時間に希望する内容の広告を閲覧することで、サービス利用料金を削減、さらには無料にすることが可能となる。
【００７５】
他の実施形態との比較における図１３の実施形態の特徴点は、サービスサーバ５０４が広告配信サーバ５０８より広告配信完了通知を受信したとき（Ｓ５０４４）、課金管理テーブル５０６のログインユーザの課金情報を更新し（Ｓ５０４６）、配信履歴蓄積データ５０７として蓄積されている広告毎にその配信の回数乃至度数等の配信履歴を更新する（Ｓ５０４７）点である。これにより、広告配信データを用いて、広告毎の関心度を示すデータが取得でき、広告依頼主５１０に対して付加価値の高い情報を提供することができる。
【００７６】
図１６は、本発明の更に他の実施形態を示すブロック図である。図１６の実施形態において、公共型インターネット接続サービスシステム６００は、ユーザがネットワークにログインする際の認証を行うネットワーク認証サーバ６０２、外部インターネットと接続するルータ６０３、及び、ユーザに対するサービスと管理を行うサービスサーバ６０４を含んで構成されている。サービスサーバ６０４は、ユーザ毎にサービスクラスを管理するサービスクラス対応表６０５、サービス毎に広告配信周期を記載した配信管理テーブル６０６、配信の回数乃至度数を蓄積・更新する配信履歴蓄積データ６０７を有する。また、広告依頼主６１０は、配信を行う広告データが蓄積してある広告配信サーバ６１１を有している。
【００７７】
図１７は、図１６のシステム全体の動作を表すフローチャートである。図１７において、まず、ユーザが公共型インターネット接続サービスシステム６００にアクセスすると、ネットワーク認証サーバ６０２は、ユーザのアクセスを検知し（Ｓ６０２１）、ユーザに対してユーザＩＤとパスワードの入力を要求する（Ｓ６０２２）。ユーザによるユーザＩＤとパスワードの入力が受信されるのを待ち（Ｓ６０２３）、このユーザＩＤとパスワードの入力が受信されると（Ｓ６０２４）、ネットワーク認証サーバ６０２は登録されているユーザのＩＤとパスワードとのマッチングを行うことでログイン認証を行う（Ｓ６０２５）。この認証結果を認識し（Ｓ６０２６）一致していると認識された場合にはネットワーク認証サーバ６０２はサービスサーバ６０４に対してユーザログインが行われたことを通知する（Ｓ６０２７）。一方、一致していると認識されない場合にはネットワーク認証サーバ６０２はユーザ（送信元）に対してログイン不可通知を送信する（Ｓ６０２８）。
【００７８】
サービスサーバ６０４は、ユーザログイン通知を受信すると（Ｓ６０４１）、サービスクラス対応表６０５を検索してログインしたユーザのサービスクラスを認識し（Ｓ６０４２）、そのサービスクラスに対応した広告配信周期を配信管理テーブル６０６に基づいて求め（Ｓ６０４３）、配信通知を広告依頼主６１０施設内の広告配信サーバ６１１に送信する（Ｓ６０４４）。そして、配信履歴蓄積データ６０７の配信の回数乃至度数を更新する（Ｓ６０４５）。広告配信サーバ６１１は、配信通知を受信すると（Ｓ６１１１）、ログインしたユーザに対してあらかじめ蓄積しておいた広告データを配信する（Ｓ６１１２）。これにより、前述の実施形態で公共型インターネット接続業者内に広告配信サーバを設置する必要がなくなり、設備投資の軽減が図られる。また広告依頼主側にとっては、広告配信サーバが自設備であるため、広告データ更新時などの手続きが不要となり、自由に更新が可能となる。
【００７９】
図１８は、本発明の更に他の実施形態を示すブロック図である。図１８の実施形態において、公共型インターネット接続サービスシステム７００は、ユーザがネットワークにログインする際の認証を行うネットワーク認証サーバ７０２、外部インターネットと接続するルータ７０３、及び、ユーザに対するサービスと管理を行うサービスサーバ７０４を含んで構成されている。サービスサーバ７０４は、ユーザ毎にサービスクラスを管理するサービスクラス対応表７０５、サービス毎に広告配信周期を記載した配信管理テーブル７０６、配信の回数乃至度数を蓄積する配信履歴蓄積データ７０７を有する。この公共型インターネット接続サービスシステム７００はインターネットを通して広告依頼主７１０と結ばれる。
【００８０】
図１８のシステムでは、図１６に基づいて上述した実施形態と同様の公共型インターネット接続サービスシステムにおいて、広告の配信を行う広告配信業者７２０（同広告配信業者の運営するシステム）を広告依頼主７１０と公共型インターネット接続サービスシステム７００の間に中間的に配置する。この広告配信業者７２０は、複数の広告依頼主７１０より受信した広告配信データを蓄積し、複数の公共型インターネット接続サービスシステム７００に対して配信を行う広告配信サーバ７２１と、広告の配信の回数乃至度数を記録して配信の回数乃至度数に応じた料金を広告依頼主から獲得するための配信記録データ７２２を有している。
【００８１】
図１８の実施形態では、広告依頼主７１０は複数の公共型インターネット接続サービス業者と契約する必要はなく、広告データの登録先を広告配信業者一箇所にすることで、広告配信手続きを簡潔にすることができる。一方で、公共型インターネット接続サービス業者も複数の広告依頼主と契約する必要がなく、広告配信サーバへのアクセスも一箇所にすることで、システムを簡潔にすることができる。
【００８２】
図１９は図１８のシステム全体の動作を表すフローチャートである。
図１９において、まず、ユーザが公共型インターネット接続サービスシステム７００にアクセスすると、ネットワーク認証サーバ７０２は、ユーザのアクセスを検知し（Ｓ７０２１）、ユーザに対してユーザＩＤとパスワードの入力を要求する（Ｓ７０２２）。ユーザによるユーザＩＤとパスワードの入力が受信されるのを待ち（Ｓ７０２３）、このユーザＩＤとパスワードの入力が受信されると（Ｓ７０２４）、ネットワーク認証サーバ６０２は登録されているユーザのＩＤとパスワードとのマッチングを行うことでログイン認証を行う（Ｓ７０２５）。この認証結果を認識し（Ｓ７０２６）一致していると認識された場合にはネットワーク認証サーバ７０２はサービスサーバ７０４に対してユーザログインが行われたことを通知する（Ｓ７０２７）。一方、一致していると認識されない場合にはネットワーク認証サーバ７０２はユーザ（送信元）に対してログイン不可通知を送信する（Ｓ７０２８）。
【００８３】
サービスサーバ７０４は、ユーザログイン通知を受信すると（Ｓ７０４１）、サービスクラス対応表７０５を検索してログインしたユーザのサービスクラスを認識し（Ｓ７０４２）、そのサービスクラスに対応した広告配信周期を配信管理テーブル７０６に基づいて求め（Ｓ７０４３）、広告配信業者７２０へログインユーザへの広告配信要求を送出する（Ｓ７０４４）。そして、配信履歴蓄積データ７０７の配信の回数乃至度数を更新する（Ｓ７０４５）。上記（Ｓ７０４４）のステップ、及び、次に述べる広告配信業者７２０側のアクションが他の既述の実施形態と異なる。広告配信業者７２０は、広告配信要求を受信すると（Ｓ７２０１）、広告配信サーバ７２１を利用して広告データをユーザに対して配信し（Ｓ７２０２）、配信記録データ７２２の広告毎の配信の回数乃至度数を更新する（Ｓ７２０３）。
【００８４】
図２０は、本発明の他の実施形態を示すブロック図である。この実施形態では、公共型インターネット接続サービスシステム８００は、サービス品質をクラス分けするための通信品質（ＱｏＳ：Ｑｕａｌｉｔｙ  ｏｆ  Ｓｅｒｖｉｃｅ）を制御するためのＱｏＳ装置８０１、ユーザがネットワークにログインする際の認証を行うネットワーク認証サーバ８０２、外部インターネットと接続するルータ８０３、及び、ユーザに対するサービスと通信の管理を行うサービスサーバ８０４、とを含んで構成される。サービスサーバ８０４は、ユーザ毎にサービスクラスを管理するサービスクラス対応表８０５、サービス毎の通信品質を設定してある通信品質管理テーブル８０６を有する。
【００８５】
次に図２０の実施形態の全体の動作について図２１のフローチャートに基づいて説明する。まず、ユーザが公共型インターネット接続サービスシステム８００にアクセスすると、ネットワーク認証サーバ８０２は、ユーザのアクセスを検知し（Ｓ８０２１）、ユーザに対してユーザＩＤとパスワードの入力を要求する（Ｓ８０２２）。ユーザによるユーザＩＤとパスワードの入力が受信されるのを待ち（Ｓ８０２３）、このユーザＩＤとパスワードの入力が受信されると（Ｓ８０２４）、ネットワーク認証サーバ８０２は登録されているユーザのＩＤとパスワードとのマッチングを行うことでログイン認証を行う（Ｓ８０２５）。
【００８６】
この認証結果を認識し（Ｓ８０２６）一致していると認識された場合にはネットワーク認証サーバ８０２はサービスサーバ８０４に対してユーザログインが行われたことを通知する（Ｓ８０２７）。一方、一致していると認識されない場合にはネットワーク認証サーバ８０２はユーザ（送信元）に対してログイン不可通知を送信する（Ｓ８０２８）。サービスサーバ８０４は、ユーザログイン通知を受信すると（Ｓ８０４１）、サービスクラス対応表８０５を検索してログインしたユーザのサービスクラスを認識し（Ｓ８０４２）、そのサービスクラスに対応した通信品質を通信品質管理テーブル８０６より取得し（Ｓ８０４３）、取得した通信品質をＱｏＳ装置８０１へ通知する（Ｓ８０４４）。
【００８７】
ＱｏＳ装置８０１は、ログインしたユーザの通信品質を受信すると（Ｓ８０１１）、通知された通信品質（ＱｏＳ）を維持するための通信帯域を確保して、ユーザに対して割り当てることで（Ｓ８０１２）、クラス分けされたサービスをユーザに提供することができる。
【００８８】
図２２は本発明の更に他の実施形態を示すブロック図である。図２２の実施形態では、公共型インターネット接続サービスシステム９００は、サービス品質を区分するための通信メディアを制限するためのアクセス制御装置９０１、ユーザがネットワークにログインする際の認証を行うネットワーク認証サーバ９０２、外部インターネットと接続するルータ９０３、及び、ユーザに対するサービスと管理を行うサービスサーバ９０４を含んで構成されている。サービスサーバ９０４はユーザ毎にサービスクラスを管理するサービスクラス対応表９０５、サービスクラス毎にアクセス可能なメディア及びプロトコルを定義したメディア管理テーブル９０６を有する。
【００８９】
図２３は図２２の実施形態のシステム全体の動作を表すフローチャートである。図２２において、まず、ユーザが公共型インターネット接続サービスシステム９００にアクセスすると、ネットワーク認証サーバ９０２は、ユーザのアクセスを検知し（Ｓ９０２１）、ユーザに対してユーザＩＤとパスワードの入力を要求する（Ｓ９０２２）。ユーザによるユーザＩＤとパスワードの入力が受信されるのを待ち（Ｓ９０２３）、このユーザＩＤとパスワードの入力が受信されると（Ｓ９０２４）、ネットワーク認証サーバ９０２は登録されているユーザのＩＤとパスワードとのマッチングを行うことでログイン認証を行う（Ｓ９０２５）。この認証結果を認識し（Ｓ９０２６）一致していると認識された場合にはネットワーク認証サーバ９０２はサービスサーバ９０４に対してユーザログインが行われたことを通知する（Ｓ９０２７）。一方、一致していると認識されない場合にはネットワーク認証サーバ９０２はユーザ（送信元）に対してログイン不可通知を送信する（Ｓ９０２８）。
【００９０】
サービスサーバ９０４は、ユーザログイン通知を受信すると（Ｓ９０４１）、サービスクラス対応表９０５を検索してログインしたユーザのサービスクラスを認識し（Ｓ９０４２）、そのサービスクラスに応じたアクセス可能なメディアおよびプロトコルの種類をメディア管理テーブル９０６より取得し（Ｓ９０４３）、取得したメディアおよびプロトコルの種類をアクセス制御装置９０１へ通知する（Ｓ９０４４）。アクセス制御装置９０１は、ログインしたユーザがアクセス可能なメディアおよびプロトコルの種類を受信すると、（Ｓ９０１１）ユーザの通信メッセージを監視して、ユーザへ送出されるメディアやユーザが利用する通信プロトコルを制限することで（Ｓ９０１２）、クラス分けされたサービスをユーザに提供することができる。
【００９１】
図２４はメディア管理テーブル９０６における情報保持状況を例示する模式図である。図示のように、サービスクラスＡ乃至サービスクラスＤの各サービスクラス毎に利用できるインターネットサービスが設定され、ユーザは所要に応じて任意にサービスランクを選択でき、該当するサービスランクに応じた料金のみを支払えばよい。
【００９２】
【発明の効果】
本発明によれば、サービスを多様化させ、ユーザが選択できる権利を与え、また業者はサービス多様化によるユーザ拡大を図り、且つ、ユーザの操作や判断が煩雑に過ぎることのないインターネット接続サービスを提供する方法および該方法の実施に適用するシステムが提供される。
【図面の簡単な説明】
【図１】本発明の一つの実施形態を示すブロック図である。
【図２】図１の実施形態の動作を示すフローチャートである。
【図３】本発明の他の実施形態を示すブロック図である。
【図４】本発明の更に他の実施形態を示すブロック図である。
【図５】図４の実施形態全体の動作を表すフローチャートである。
【図６】図４のシステムの作用を示す概念図である。
【図７】本発明の更に他の実施形態を示すブロック図である。
【図８】図７の実施形態全体の動作を表すフローチャートである。
【図９】図７の実施形態全体の動作を表すフローチャートである。
【図１０】本発明の他の実施形態を示すブロック図である。
【図１１】図１０の実施形態の動作を示すフローチャートである。
【図１２】図１０の実施形態の動作を示すフローチャートである。
【図１３】本発明の更に他の実施形態を示すブロック図である。
【図１４】図１３の実施形態の動作を表すフローチャートである。
【図１５】図１３の実施形態の動作を表すフローチャートである。
【図１６】本発明の更に他の実施形態を示すブロック図である。
【図１７】図１６のシステム全体の動作を表すフローチャートである。
【図１８】本発明の更に他の実施形態を示すブロック図である。
【図１９】図１８のシステム全体の動作を表すフローチャートである。
【図２０】本発明の他の実施形態を示すブロック図である。
【図２１】図２０の実施形態の動作を表すフローチャートである。
【図２２】本発明の更に他の実施形態を示すブロック図である。
【図２３】図２２の実施形態のシステム全体の動作を表すフローチャートである。
【図２４】メディア管理テーブル９０６における情報保持状況を例示する模式図である。
【符号の説明】
１００，２００，３００，４００，５００，６００，７００，８００，９００公共型インターネット接続サービスシステム
１０３，２０４，３０４，４０４，５０４，６０４，７０４，８０４，９０４サービスサーバ
１０２，２０３，３０３，４０３，５０３，６０３，７０３，８０３，９０３ルータ
１０１，２０２，３０２，４０２，５０２，６０２，７０２，８０２，９０２ネットワーク認証サーバ
【図１】
2004164077.tif 000003
【図２】
2004164077.tif 000004
【図３】
2004164077.tif 000005
【図４】
2004164077.tif 000006
【図５】
2004164077.tif 000007
【図６】
2004164077.tif 000008
【図７】
2004164077.tif 000009
【図８】
2004164077.tif 000010
【図９】
2004164077.tif 000011
【図１０】
2004164077.tif 000012
【図１１】
2004164077.tif 000013
【図１２】
2004164077.tif 000014
【図１３】
2004164077.tif 000015
【図１４】
2004164077.tif 000016
【図１５】
2004164077.tif 000017
【図１６】
2004164077.tif 000018
【図１７】
2004164077.tif 000019
【図１８】
2004164077.tif 000020
【図１９】
2004164077.tif 000021
【図２０】
2004164077.tif 000022
【図２１】
2004164077.tif 000023
【図２２】
2004164077.tif 000024
【図２３】
2004164077.tif 000025
【図２４】
2004164077.tif 000026